(57)【特許請求の範囲】
【請求項１】
被写体を撮像する撮像手段と、
前記撮像手段によって撮像された被写体像に基づいて画像信号を生成する撮像回路手段と、
前記撮像回路手段からの画像信号を記憶するメモリと、
前記メモリに記憶された画像信号を圧縮する圧縮手段と、
前記圧縮手段で圧縮された画像データを記録する記録手段と、
外部機器との通信を行う通信手段と、
前記通信手段を介して外部機器から前記記録手段に独立してアクセス可能となすことを許容する外部制御モード手段と、
を具備し、
前記記録手段に記録されている複数のコマの画像データに対して、所望の複数のコマを選択して指定し、当該電子的撮像装置から外部機器に対して画像データを伝送する際に当該選択指定がなされた画像データを自動的に選択して連続的に伝送することを特徴とする電子的撮像装置。
【請求項２】
前記画像データ伝送の際には、伝送中である旨及び現在の伝送データ量を表示する手段を有することを特徴とする請求項１に記載電子的撮像装置。
【発明の詳細な説明】
【０００１】
【発明の属する技術分野】
本発明は、電子的撮像装置、詳しくは、画像データ、および／または装着された情報記録媒体に格納されているデータの外部機器に対する通信が可能な電子的撮像装置に関する。
【０００２】
【従来の技術】
近年、ＩＣメモリカ−ド，磁気記録媒体，光磁気記録媒体，フラッシュメモリ等を記録媒体とするデジタルスチルビデオカメラ（以下、ＤＳＣと記載する）等の電子的撮像装置についての多機能化に関する提案が数多くなされている。その１つとして、外部機器に対して画像データの送受信システムであるパソコンネットワーク通信が可能なＤＳＣの提案がある。
【０００３】
【発明が解決しようとする課題】
従来の装置では、上記のような画像データの送信に際して、送信するための操作が煩雑であった。特に、画像データが複数ある場合には、より面倒であった。
【０００４】
本発明は、上述の不具合を解決するためになされたものであり、画像データを所望の通信先に簡単に送信することができるようにした電子的撮像装置を提供することを目的とする。
【０００５】
【課題を解決するための手段】
本発明の電子的撮像装置は、被写体を撮像する撮像手段と、前記撮像手段によって撮像された被写体像に基づいて画像信号を生成する撮像回路手段と、前記撮像回路手段からの画像信号を記憶するメモリと、前記メモリに記憶された画像信号を圧縮する圧縮手段と、前記圧縮手段で圧縮された画像データを記録する記録手段と、外部機器との通信を行う通信手段と、前記通信手段を介して外部機器から前記記録手段に独立してアクセス可能となすことを許容する外部制御モード手段と、を具備し、前記記録手段に記録されている複数のコマの画像データに対して、所望の複数のコマを選択して指定し、当該電子的撮像装置から外部機器に対して画像データを伝送する際に当該選択指定がなされた画像データを自動的に選択して連続的に伝送することを特徴とする。
【０００６】
【発明の実施の形態】
以下、本発明の実施形態を図に基づいて説明する。
図１のシステム系統図は、本発明の第１実施形態の電子的撮像装置であるＤＳＣ２０、または、ＤＳＣ２０Ａの画像データ、および／または、音声データ，制御データ等の送受信をパソコンネットワークを利用して行う場合のシステム系統を示したものである。
【０００７】
本図に示すようにＤＳＣ２０、または、２０Ａとパソコンネットワークホスト１０４の間の画像データ等の通信は、モデム１０２，１０６と電話回線１０３，１０５を介して行われる。ＤＳＣ２０から送信される画像データは、ＰＣ１０４内のメールボックス１０４ａにアップロードして書き込まれる。また、そのメールボックス１０４ａの画像データは、ダウンロードして受信側のＤＳＣ２０Ａに書き込まれる。
【０００８】
図２は、本実施形態のＤＳＣ（デジタルスチルカメラ）２０の外観図である。該ＤＳＣ２０は、その画像情報の記録媒体としてＰＣカ−ドなどのメモリカ−ド１７を用いるものとする。
本ＤＳＣ２０において、図２に示すようにカメラ外装体１８の前面部に撮影レンズ１が配設されている。そして、外装体１８の上面には動作指示用の操作スイッチ群１４（１４ａ〜１４ｇ）と、ＬＣＤ表示部１３と、レリーズスイッチ釦１９が配設されている。更に、側面部にはビデオ信号出力端子７と、モデム等の外部機器との信号授受のためのＲＳ−２３２ＣＩ／Ｆ１５（図４参照）接続部であるコネクタ１５ａと、記録媒体であるメモリカ−ド１７の挿入口１８ａが配設されている。
【０００９】
図３は、上記ＤＳＣ外装体１８の上面に配設される前記操作スイッチ群１４（１４ａ〜１４ｇ）とＬＣＤ表示部１３の拡大図である。
該スイッチ群のうち、１４ａは、ＤＳＣの電源（ＰＯＷＥＲ）スイッチ、１４ｂは、データ通信時の通信プロトコル（手順）や電話番号等を登録するための登録スイッチ、１４ｃは、登録実行時またはデータ通信実行時に操作される実行スイッチ、１４ｄ，１４ｅは、再生コマＮＯ．や登録電話番号等を指定するためのアップ，ダウンスイッチである。更に、１４ｇは、ＤＳＣのカメラモードと、通信モードとを切り換えるためのスライドスイッチ、１４ｆは、カメラモードでは再生モードと記録モードの切り換え、また、通信モードでは送信モードと受信モードの切り換えを行うスライドスイッチである。
【００１０】
ＬＣＤ表示部１３は、記録モード以外の再生モード、また、送信モード、あるいは、受信モードにあるときにそれぞれ再生，送信，受信の各文字の点灯を行う。また、中央にある３桁の７セグメント表示は、処理中のコマＮＯ．等を表示し、右上部にある小型の３桁の７セグメント表示は、撮影可能枚数、または、再生残り枚数等を表示する。
【００１１】
図４は、上記ＤＳＣ２０の制御部の主要ブロック構成図であり、各構成要素の動作は、システムコントローラ（以下、シスコンと記載する）１２によりコントロールされる。
本ＤＳＣ２０によると、レリーズスイッチ１９（図１参照）の押圧に応動して、装着されているメモリカード１７に被記録信号である撮像信号の記録が可能であり、また、操作スイッチ群１４ｄ，１４ｅのスイッチ釦の操作により該メモリカード１７上の指定されたコマ番号の画像ファイルの撮像記録信号を再生することができ、そのビデオ信号は、ＥＶＦ８でファインダ画像として表示され、また、ビデオ信号出力端子７より外部モニタに出力される。
【００１２】
また、本ＤＳＣ２０は、ネットワーク化に適合するパソコン間通信方式に準拠した方式に基づき、図１に示すようにモデム１０２、電話回線１０３を介してパソコンネットワークホスト１０４に対して画像データ等の送信、または、受信が可能である。なお、図１の適用例以外であって、ＤＳＣ２０とパソコンのデータ通信、あるいは、ＤＳＣ２０と該ＤＳＣと同タイプの電子スチルカメラとのデータ通信も可能である。
【００１３】
以下、その構成について詳細に説明する。
まず、撮影時においては、被写体像が撮影レンズ１を介して撮像回路２に内蔵されるＣＣＤ等の撮像素子上に結像され、画像信号としてＡ／Ｄコンバータ３に出力される。Ａ／Ｄコンバータ３でデジタル変換された画像データは、画像メモリのフレームメモリ４に一時的に記憶される。そして、フレームメモリ４の画像データは、Ｄ／Ａコンバータ５で再度アナログ変換され、ビデオエンコ−ダ６を介してビデオ信号としてビデオ出力端子７より出力される。また、該ビデオ信号はＥＶＦ８にてファインダ画像として表示される。
【００１４】
また、メモリカ−ド１７に画像データを記録する場合は、フレームメモリ４から画像データをブロック単位で読み出し、圧縮／伸張回路１０でＪＰＥＧ方式等によりデータ圧縮して、バスを介して被記録信号供給手段の１つであるカ−ドＩ／Ｆ１６に入力する。そこで、メモリカ−ド１７上の指定された領域に上記圧縮データが書き込まれる。
【００１５】
一方、再生時には、まず、アップスイッチ１４ｄ，ダウンスイッチ１４ｅを操作してコマ番号等を指定する。そのコマ番号、または、ファイル番号等は、ＬＣＤ表示部１３に表示される。その指定に基づいて、メモリカ−ド１７のメモリ領域が選択され、対応する画像データがカ−ドＩ／Ｆ１６、バスを介して圧縮／伸長回路１０に入力される。そこで、画像データの伸長処理がなされ、フレームメモリ４に記憶される。その画像データは、再度、フレームメモリ４から読み出されて、前述したようにＤ／Ａコンバータ５でアナログ信号に変換され、ビデオエンコ−ダ６に入力する。そして、ビデオエンコ−ダ６でエンコードされ、ビデオ信号としてビデオ信号出力端子７より出力される。
【００１６】
また、データ通信を行う場合、ＥＥＰＲＯＭ１６に書き込まれているネットワークへのアクセス手順である通信プロトコル（通信手順）をシスコン１２で読み出し、そのプロトコルに従いＲＳ−２３２ＣＩ／Ｆ１５並びにモデム１０２を介して、電話回線によりアクセスされるパソコンネットワークホスト１０４、あるいは、同一タイプのカメラ、パソコン等とのデータの送受信が行う。
【００１７】
図５は、上記ＥＥＰＲＯＭ１６に格納されている通信プロトコルの登録部のマップを示す図である。なお、この通信プロトコルの登録データのファイルが後述するファイル”ＰＲＯＴＯＣＯＬ．ＤＡＴ”のファイルを構成する。
該登録部メモリにおいて、先頭アドレスには、プロトコルが書き換えられたときなどの識別用としてプロトコルＩＤが記録されている。そして、本実施形態では、４種類のプロトコルが格納されることから、上記ＩＤに続いて４つのプロトコル１〜４の格納開始番地（ポインタ）が記録される。
【００１８】
なお、上記４種類のプロトコルには、例えば、プロトコル１がＮＩＫＫＥＩ．ＭＩＸ、プロトコル２がＮＩＦＴＹ．ＳＥＲＶＥ等の国内商用サービスに適用されているプロトコルとし、プロトコル３が同一タイプのＤＳＣに適用されるプロトコルとし、プロトコル４がパソコンを端末とする場合のプロトコルなどを当てることができる。
【００１９】
該プロトコル開始番地には、該当プロトコルのログイン手続き（プロトコル）のデータ本体の格納開始番地が格納され、続いて，ログアウト手続き（プロトコル）の開始番地、送信手続き（プロトコル）の開始番地、受信手続き（プロトコル）の開始番地が格納されている。その後には、該当プロトコルの内容を示すコメント情報が格納されている。このコメント情報を表示する場合は、キャラクタジェネレータ９を介して文字情報に変換され、ＥＶＦ８、または、外部モニタに表示される。
該コメント情報格納領域に続いて上記各プロトコルのデータ本体が格納される。
【００２０】
なお、上記ログインとは、ネットワークホスト１０４にアクセスして、該ホスト１０４のメールボックス１０４ａ（図１）にデータが書き込める状態にするまでの動作であり、ログアウトとは、データの転送が終了し、モデムの制御を終了させる動作である。
また、送信プロトコルとは、データを該メールボックス１０４ａにアップロードする場合の書き込み手順であり、受信プロトコルとは、該メールボックス１０４ａにアップロードされたデータを取り込む場合の手順を示すものである。
【００２１】
該プロトコルは、ログイン，ログアウト，送受信等処理を実行するための記述としてオブジェクトファイル形式のファイルに変換されるが、そのファイルの記述言語のコードと機能の対応を図６に示す。なお、コードは１６進数（＆Ｈ）で示している。
【００２２】
本図に示すように、例えば、コード＆Ｈ００は、ＮＯＰ、即ち、無操作を示す。コード＆Ｈ０１は、指定した文字列が指定時間内に受信できるかをチェックするコードであり、２バイト目が上記指定時間を示し、３バイト目以降が検索文字列を与える。但し、先頭は文字数を示す。
【００２３】
その他のコードは同図に示す通りであるが、特に、コード＆Ｈ０８は、アクセスされているネットワークのメールボックス１０４ａにアップロードされている画像データファイルのうち、ファイルの属性情報を表す所定の標識であるタイトル「Ｊ６Ｉ」が付されているファイルのリストを読み出し、該リストを作成するコードである。なお、該ファイルのタイトル「Ｊ６Ｉ」の画像ファイルは、本実施形態のＤＳＣ２０でアップロードされた画像ファイルに自動的に付されるファイルのタイトルである。このタイトルは具体的には、データファイルにおける拡張子等が対応する。
【００２４】
また、機能中に示される”ＸＭＯＤＥＭ”は、一般的なファイルの送受信のプロトコルである。また、本図に示される信号ＥＲは、ＤＳＣ側の通信準備が完了していることをモデムに通知する信号であり、信号ＤＲは、モデムが送受信可能となったこと示す信号である。信号ＲＳは、送信要求信号であり、信号ＣＳは、送信許可信号である。信号ＣＤは、相手モデムからのキャリアを検出するとオンとなる信号である。
【００２５】
図７は、図６のコードを用いたログイン処理用のプロトコルの記述例を示した図である。但し、図７中、コードデータの＆Ｈは、省略している。
このプロトコルの記述によると、まず、コード「０９」により、ＤＳＣ側の通信準備が完了していることをモデム１０２に通知する信号ＥＲのオンと、モデム１０２が送受信可能となったこと示す信号ＤＲを確認する。
続いて、モデム初期設定のための文字列を送信するが、コード「０２」により続いて文字列を送信することを示し、文字数を示す０７に続いて、ＡＴコマンドである”ＡＴ＆Ｆ￥Ｎ３”の文字列を記述し、モデム１０２の初期設定を行う。
【００２６】
そして、通信対象とするネットワークホスト１０４をアクセスするため、同様にコード「０２」と文字数として「０Ｄ」を記述した後、トーンダイヤルで番号XXXXXXXXXXにダイヤルするため、”ＤＴφXXXXXXXXXX”が記述される。
続いて、上記ダイヤル処理により相手側からの返信を確認するため、コード「０１」と待ち時間を与える「２０」（３２秒間を示す）と確認返信文字数を示す「０２」を記述して、更に、確認文字列として、例えば、”ＮＥＴ１”が記述される。
【００２７】
上述のようなログインプロトコル、あるいは、ログアウトプロトコル、または、送受信プロトコル等のプロトコル記述データは、通常のオブジェクトファイル形式に変換され、各処理時に出力される。
【００２８】
図８は、ＥＥＰＲＯＭ１６に書き込まれる通信先登録部マップであって、この通信先を選択して通信が実行される。その通信先として１から４まで用意されており、各通信先にはプロトコルの区別を示すコードと、電話番号と、ＩＤと、パスワード並びに各通信先を利用者が認識できるようにコメント等が書き込まれる。
【００２９】
なお、上記プロトコルの欄に記載されるコードとしては、図９に示すようにコード「００」が未登録を示し、コード「０１」〜「０４」までは前記図５に示したプロトコル１〜プロトコル４が該当する。また、コード「０Ｆ」は、記録媒体１７等に記録されている手順（例えば、ＰＲＯＴＯＣＯＬ．ＣＴＬ）を適用するもので、このプロトコルのデータ構造は、図５に示したＥＥＰＲＯＭ１６上のプロトコルデータ構造と同一のものである。また、コード「０Ｅ」は、手動操作により電話番号等を指定する場合である。
図８における上記プロトコルの種類以外の電話番号，ＩＤ，コメント等は、ＡＳＣＩＩコードで格納される。
【００３０】
次に、通信プロトコルの書き込み操作について図１０，１１，１２のＥＶＦ、または、モニタの表示画面を用いて説明する。これらの表示画面は、現在再生されている画像データの画面に重畳した状態で、文字データがキャラクタジェネレータ９を介して表示されるものである。
登録スイッチ１４ｂを押圧すると、登録操作が開始され、図１０のようなＥＶＦ８、または、モニタに登録メニュー画面が表示される。アップ，ダウンスイッチ１４ｄ，１４ｅの操作して通信先登録か、プロトコル登録の位置にカーソルを移動し、実行スイッチ１４ｃを操作して、どちらかの処理を指定する。
【００３１】
プロトコル登録を指定した場合、図１１に示すようにモニタ等に「プロトコル登録中」と表示され、媒体上のプロトコルデータファイルである”ＰＲＯＴＯＣＯＬ．ＤＡＴ”を検索する。該ファイルが検索された場合、ファイルの正当性をチェックする。これは、ファイル中に正当なＩＤが記録されているか等のチェックである。正当であれば、該ファイルをＥＥＰＲＯＭ１６に書き込み、通常の表示画面に戻る。
このように、上述のファイル”ＰＲＯＴＯＣＯＬ．ＤＡＴ”をＥＥＰＲＯＭ１６に送ることにより、図５のプロトコル登録部の４種類の中に含まれていないプロトコルを入れ替えて登録することができる。
【００３２】
次に、通信先の登録動作について説明する。
前記図１０の登録メニューで、アップ，ダウンスイッチ１４ｄ，１４ｅと実行スイッチ１４ｃにより通信先登録を選択指定すると、図１２の通信先登録画面が表示される。そこで、図８に示した通信先登録マップ上の通信先番号１〜４をカーソル付きで表示される。その番号をアップダウンスイッチ１４ｄ，１４ｅで順次切り換え、実行スイッチ１４ｃで上記通信先を指定する。つぎに、カーソルが通信先のコメント表示部に移り、そこで、コメントの書き込みを行う。文字の指定は、アップダウンスイッチ１４ｄ，１４ｅを操作して表示文字０〜９，Ａ〜Ｚ等が循環して表示し、表示された文字を指定する。
【００３３】
その後、プロトコルの０１等の指定を行う。そのとき、ネットワーク名が同時に表示される。
次に、電話番号の指定に移り、トーン回線とパルス回線の指定を行った後、電話番号を表示数字０〜９等を循環させて、所望の数字を指定する。その後、ＩＤとパスワードの指定を同時に行う。すべての指定が終了すると通常画面に戻る。
【００３４】
なお、上記以外の各項目等の選択時にもカーソルの位置する部分の表示文字等をアップ，ダウンスイッチ１４ｄ，１４ｅを操作することによって循環して、表示させ、所望の文字等が表示された状態で、実行スイッチ１４ｃを操作し指定することになる。
【００３５】
次に、上述したプロトコル登録の方法について、図１３，１４，１５のフローチャートと前記各表示画面を用いて説明する。
登録スイッチ１４ｂの操作により、図１３のサブルーチン「登録処理」が呼び出される。そして、現在、通信モードであるかどうかの判別をして（ステップＳ１）、通信モードの場合、モニタ等に図１０に示す登録メニューを表示する（ステップＳ２）。そして、アップダウンスイッチ１４ｄ，１４ｅにより登録の種類を選択を行って（ステップＳ３）、実行スイッチ１４ｃのオンの後（ステップＳ４）、その指定がプロトコル登録か通信先登録かの判別をして（ステップＳ５）、サブルーチン「プロトコル登録」（ステップＳ６）、または、サブルーチン「通信先登録」（ステップＳ７）を呼び出す。
【００３６】
図１４は、上記サブルーチン「プロトコル登録」のフローチャートである。本ルーチンは、図５のプロトコル登録部を書き換える処理であり、まず、モニタ等に図１１に示すプロトコル登録表示を行う（ステップＳ１１）。そして、メモリカ−ド１７内に書き込まれているファイル”ＰＲＯＴＯＣＯＬ．ＤＡＴ”を検索する（ステップＳ１２）。該ファイルが検索できた場合（ステップＳ１３）、フォーマットが正しいかどうかのチェックを行う（ステップＳ１４，１５）。このチェックは、例えば、ＩＤが所定のデータであるか等のチェックである。
【００３７】
続いて、該ファイルのデータを順次読み出し、ＥＥＰＲＯＭ１６の指定されたアドレスに書き込む（ステップＳ１６）。書き込み後、登録終了表示を行って、通信モードの表示画面とし、本ルーチンを終了する（ステップＳ１７，１８）。
【００３８】
図１５は、上記サブルーチン「通信先登録」のフローチャートである。本ルーチンは、前記図８の通信先登録部マップにおける通信先を登録する処理であって、まず、モニタ等に図１２に示すような通信先登録表示を行う（ステップＳ２１）。アップダウンスイッチ１４ｄ，１４ｅを操作してカーソル付き通信先の番号１〜４を切り換え、実行スイッチ１４ｃで指定する。
【００３９】
そして、該通信先に関するコメントをアップダウンスイッチ１４ｄ，１４ｅを操作することによって、文字を循環して表示させ、実行スイッチ１４ｃで指定する。その後、プロトコルコード，電話番号，ＩＤ，パスワード等の入力を表示桁を切り換えながら実行する（ステップＳ２３，２４）。登録終了後、表示画面を登録終了画面とした後、通信モード画面として、本ルーチンを終了する。
【００４０】
次に、上述のような方法で登録した通信先に対して画像データの送受信を実行する場合の動作について説明する。
まず、画像ファイルの送信処理を表示画面図１６〜１９を用いて説明すると、スライドスイッチ１４ｇを通信側に、スライドスイッチ１４ｆを送信側に切り換えて、電源スイッチ１４ａをオンにすると、モニタ等に図１６の通信先を示す送信ログイン画面が表示される。
上記図１６の送信ログイン画面には、図８に対応するカーソル付き通信先番号とそのコメントである通信先ネット名、例えば、ＮＥＴ１等が表示されている。なお、この画面は、現在再生されている送信用画像に重畳して上記送信ログイン表示がなされるものとし、右上の番号は、現在再生コマＮＯ．を示している。
【００４１】
この画面表示状態にて、アップダウンスイッチ１４ｄ，１４ｅでカーソルを移動させ、実行スイッチ１４ｃで通信先を指定すると、登録されているプロトコルに従ってログイン動作を実行し、通信先のメールボックス１０４ａへのアクセスが行われる。
【００４２】
上記アクセスが完了すると、モニタ等の画面が画面選択表示（図１７）となる。そこで、アップダウンスイッチ１４ｄ，１４ｅを操作して再生コマを切り換え．送信するべき画面を図１７のように表示させ、実行スイッチ１４ｃを押圧することによって、該選択画面の画像データが送信プロトコル、例えば、ＸＭＯＤＥＭのプロトコルに従って上記メールボックス１０４ａにアップロードされる。
【００４３】
この送信処理中は、表示画面は、図１８に示すように送信中の表示がなされ、送信コマＮＯ．と現在送信データ量（％）が表示される。データ送信が終了すると、アップロードされた画像ファイルに対してはファイルのタイトルとして「Ｊ６Ｉ」が付される。この画像データの送信は、必要送信コマの数だけ繰り返される。
【００４４】
送信終了の場合、アップダウンスイッチ１４ｄ，１４ｅを操作することによりて最終コマに対応する「ＥＮＤ」を選択し、実行スイッチ１４ｃを押圧すると、ログアウトのプロトコルに従ってログアウト処理が実行される。即ち、モデム制御が終了状態となり、図１６の通信先選択画面の表示状態に戻る。
【００４５】
上述の画像データの送信動作は、１コマずづ再生画面を観察しながら送信を繰り返す処理であったが、その変形例として、送信すべき複数のコマをアップダウンスイッチ１４ｄ，１４ｅを操作してマーキングし、そのマーキング付きのコマの画像データを自動的に選択して連続的に送信するようにしてもよい。また、上記送信するデータとしては、本ＤＳＣ２０で撮影された画像データの他、装着されるメモリカ−ドに格納されている画像データ、または、その他、音声データや制御データ等であってもよい。
【００４６】
上述の画像ファイルの送信処理を、再度、フローチャートによって説明すると、データ送信設定をなされると、図２０に示すサブルーチン「送信処理」が呼び出され、まず、モニタ等に送信ログイン表示（図１６参照）がなされる（ステップＳ３１）。アップダウンスイッチ１４ｄ，１４ｅ、または、実行スイッチ１４ｃを操作することにより通信先を指定する（ステップＳ３２，３３）。指定通信先の通信プロトコルに基づいたログイン手順を読み出し、ログイン手順を順次実行する（ステップＳ３４，３５）。
【００４７】
ログイン処理後、ログインが成功したかどうかをチェックし（ステップＳ３６）、不成功の場合は、その旨の表示をして終了する（ステップＳ４８）。ログインが成功した場合は、成功した旨の表示をして（ステップＳ３７）、図１７に示すような再生画像の画面が重畳されている画面選択の表示をする（ステップＳ３８）。上記再生画面を観察しながら、アップダウンスイッチ１４ｄ，１４ｅ、または、実行スイッチ１４ｃを操作することにより送信コマＮＯ．を指定する（ステップＳ３９，４０）。
【００４８】
データ送信終了の指示がない場合、前記指定通信先へのファイル送信手順の読み出しが実行される（ステップＳ４４）。上記手順に従ってファイル送信が実行されるが、表示画面には送信中の画像と現在の送信データ量の割合が表示される（図１８参照）。そして、送信が成功したかどうかをチェックし、不成功の場合は、その旨の表示を行って、本ルーチンを終了する。送信成功の場合は、メールボックス１０４ａにアップロードされた送信ファイルのタイトルとして「Ｊ６Ｉ」が設定され（ステップＳ４７）、前記ステップＳ３８に戻り、再度、送信するコマの画面選択を行う。そして、最終コマの送信が終わり、図１９の「ＥＮＤ」選択）が表示されれば送信終了とし（ステップＳ４１）、ログアウト手順の処理が実行され（ステップＳ４２）、終了画面の表示状態となり（ステップＳ４３）、本ルーチンを終了する。
【００４９】
次に、前記メールボックス１０４ａにアップロードされているファイルをダウンロードしてＤＳＣ２０に取り込む受信処理について表示画面図２１〜２３を用いて説明する。
スライドスイッチ１４ｇを通信側に、スライドスイッチ１４ｆを受信側に切り換えて、電源スイッチ１４ａをオンにすると、モニタ等に図２１の選択される通信先を示す受信ログイン画面が表示される。
上記受信ログイン画面は、前記図１６に対して送信を受信に変更した画面であり、通信先の選択も同様の方法で行う。そして、通信先を指定すると、登録されているプロトコルに従ってログイン動作を実行し、通信先のメールボックス１０４ａにアクセスする。
【００５０】
上記アクセスが完了すると、メールボックス１０４ａ中のファイルリストからファイルのタイトルが「Ｊ６Ｉ」のファイルを選出してその一欄表を取り込む。そして、図２２に示すような上記該当ファイルのファイル数，トータルバイト数等を表示するメールリスト画面を表示する。この例の画面では、メールボックス１０４ａ中にファイルが３通アップロードされており、そのファイルのトータルバイト数は１２８Ｋバイトであることを示している。そこで、実行スイッチ１４ｃを押圧すると、上記一欄表に従ってファイルのタイトルが「Ｊ９Ｉ」であるファイルの受信を登録された受信プロトコルに従って開始する。
【００５１】
その受信処理中は、図２３の受信中の画面が表示される。この受信中の画面は、現在、何番目のファイルを受信中かの表示と、読み込み時に自動的に付加されるファイル名であって、その拡張子を前記タイトル名の「Ｊ６Ｉ」を適用し、例えば、シリアルなファイル名「ＤＳ０００００１．Ｊ６Ｉ」が付加される。更に、各ファイルの読み込み状態を受信データ量（％）で表示する。
【００５２】
受信が成功したファイルは、ホストのメールボックス１０４ａから自動的に消去される。なお、この変形例として、この消去を実行するかどうかをホスト側から問い合わせるようにしてもよい。
受信が終了すると登録されているプロトコルに従って、ログアウト処理を行い、モデム制御を終了し、元の通信先選択画面（図２１）に戻る。
【００５３】
なお、本処理、あるいは、前述の処理において、処理実行を指示する場合、実行スイッチ１４ｃを押圧するようにしたが、これは、カメラ本体の上部に配設されている撮影レリーズスイッチ１９の押圧操作により処理の実行を入力するようにしてもよい。
【００５４】
また、ＤＳＣ２０で送信されたファイルのタイトルとして本実施形態では、すべて「Ｊ６Ｉ」を付したが、その変形例として、タイトル名を意味のあるものとして扱い、タイトル名をシステムコントローラ１２内にバッファリングしておいて、受信した画像データのヘッダに書き込むようにしてもよい。
【００５５】
上述した画像ファイルの受信処理を再度フローチャートによって説明すると、データ受信設定をなされると、図２４に示すサブルーチン「受信処理」が呼び出され、まず、モニタ等に受信ログイン表示（図２１参照）がなされる（ステップＳ５１）。アップダウンスイッチ１４ｄ，１４ｅ、または、実行スイッチ１４ｃを操作することにより通信先を指定する（ステップＳ５２，５３）。指定した通信先の通信プロトコルに基づいたログイン手順を読み出し、ログイン手順を順次実行する（ステップＳ５４，５５）。
【００５６】
ログイン処理後、ログインが成功したかどうかをチェックし（ステップＳ５６）、不成功の場合は、その旨の表示をして終了する（ステップＳ６９）。ログインが成功した場合は、成功した旨の表示をした後（ステップＳ５７）、メールボックス１０４ａのファイルリストに基づいて、タイトル「Ｊ６Ｉ」のファイルの一覧表をつくり、図２２に示すメールリスト画面を表示する（ステップＳ５８，５９）。
【００５７】
実行スイッチ１４ｃの押圧操作を確認して（ステップＳ６０）、送信されるファイル名を自動的に生成する（ステップＳ６１）。更に、指定通信先の受信手順に従ってタイトル「Ｊ６Ｉ」のファイルの読み出しを実行する（ステップＳ６２）。成功したかをチェックして（ステップＳ６３）、成功した場合、ファイルをクローズし（ステップＳ６４）、受信したメールボックス１０４ａのファイルを自動的に消去する（ステップＳ６５）。全てのメールボックス１０４ａ上のタイトル「Ｊ６Ｉ」のファイルの受信を終了するまで、上記受信処理を繰り返す（ステップＳ６６）。終了した場合、終了表示を行って（ステップＳ６７）、指定通信先のログアウト手順を実行して（ステップＳ６８）、本ルーチンを終了する。
【００５８】
以上述べたように、本実施形態のＤＳＣ２０によれば、パソコンを用いることなく、ＤＳＣ単体と小型のモデムを用いるだけで、パソコン間通信方式に準拠した画像データ等の送受信が可能となる。
また、本ＤＳＣは、パソコン通信ネットワークへのアクセス手順を登録する手段を有しているので、ネットワークのプロトコルの変更に対応することができる。また、複数の通信先に対応して電話番号，ＩＤ，パスワード等を登録できることから、ネットワークへのオートログインが可能となる。
【００５９】
更に、ネットワークのメールボックスに自動的にアクセスできるので、ネットワークへのアクセスが容易である。また、メールボックスへのアップロード時に、タイトル、例えば、「Ｊ６Ｉ」を指定するので、簡単に画像データの判別ができる。
また、画像データのダウンロード時は、タイトル、例えば、上記「Ｊ６Ｉ」のものを選択してダウンロードすることができ、目的とするデータだけをダウンロードすることができる。媒体上に記録されているアクセス手順を実行できることから、いろいろのアクセス手順を自由に実行可能となる。
【００６０】
次に、本発明の第２実施形態であるＤＳＣについて説明する。
このＤＳＣは、カメラ内に大容量の記憶手段であるＨＤ（ハードディスク）装置を内蔵した電子的撮像装置である。
図２５は、本発明の第２実施形態の画像記録装置であるＤＳＣ（デジタルスチルカメラ）３０の外観図である。また、図２６は該ＤＳＣ３０の表示部１３と操作スイッチ部１４の拡大図である。
【００６１】
該ＤＳＣ３０は、上述のように比較的大容量の情報記録媒体としてＨＤを用い、また、外部との通信手段としてＲＳー２３２Ｃ以外に高速パラレルインターフェースであるＳＣＳＩ２３（図２７参照）を有している。
【００６２】
本ＤＳＣ３０において、図２５に示すようにカメラ外装体２９には撮影レンズ１，トリガスイッチ１９等が配設されているが、側面部に第１実施形態のメモリカ−ド挿入口に代わってＳＣＳＩ用コネクタ２３ａが配設されている。また、図２６に示すように、表示部１３には記録モード以外の再生モード時に点灯する再生表示と、後述するＨＤモードに切り換えられたときに点灯するＨＤ表示がなされる。７セグメント表示１３ａ，１３ｂは第１実施形態と同一である。
【００６３】
また、操作スイッチ１４としては、電源スイッチ１４ａとアップダウンスイッチ１４ｄ，１４ｅが配設される。そして、本ＤＳＣ３０は、カメラとして使用する通常の記録再生を行うカメラモードとＨＤ装置として使用し、外部機器との信号の授受のみを行うＨＤモードとがあるがそのモードの切り換えを行うスライドスイッチ１４ｇ′が配設されている。また、スライドスイッチ１４ｆは、カメラモードにおける記録再生を切り換えるスイッチである。
【００６４】
図２７は、上記ＤＳＣ３０の制御部の主要ブロック構成図であり、各構成要素の動作は、前記第１実施形態のＤＳＣ２０と同様にシステムコントローラ（以下、シスコンと記載する）１２によりコントロールされる。そして、該第１実施形態のＤＳＣ２０と異なる構成としては、ＨＤ装置２２を内蔵しており、該ＨＤ装置２２の外部機器との信号の授受のためのＳＣＳＩＩ／Ｆ２３を内蔵している。そして、上記ＨＤ装置２２のバスを内部の撮像信号用の圧縮／伸張回路１０に接続するか、上記ＳＣＳＩＩ／Ｆ２３に接続するかを切り換えるためのスイッチ素子２１が配設されている。このスイッチ素子２１は、前記モード切り換え用スライドスイッチ１４ｇ′に連動して切り換えられる。
【００６５】
そして、該スイッチ素子２１が圧縮／伸張回路１０側に切り換えられた状態では、本ＤＳＣ３０は、カメラとして作動する。また、該スイッチ素子２１がＳＣＳＩＩ／Ｆ２３側に切り換えられた状態では、通常のＨＤ装置として作動し、外部機器に対して、カメラで撮影した大容量の画像データを転送したり、外部機器からＳＣＳＩＩ／Ｆ２３を介して大容量の画像データ等をＨＤに取り込むことが可能になる。この切り換えは、いずれかの側が独立して選択されることになる。
【００６６】
図２８は、本実施形態のＤＳＣにおける表示部１３の状態を示しており、スライドスイッチ１４ｇ′をカメラモード側に切り換えて、スライドスイッチ１４ｆを記録モード側にしたときの表示状態である。現在、１コマ目の撮影を行っており、残りコマ数が３１枚であることを示している。
図２９は、同じくカメラモードであるが、スライドスイッチ１４ｆを再生モード側にしたときの表示状態で、「再生」の表示がなされ、現在、２コマ目の再生を行っており、再生可能なコマ数が５枚であることを示している。
図３０は、スライドスイッチ１４ｇ′をＨＤモード側に切り換えた状態を示し、「ＨＤ」のみの表示がなされており、カメラとしては動作しない。
【００６７】
図３１は、本ＤＳＣ３０がカメラモードに設定されたときの処理を示すフローチャートである。スライドスイッチ１４ｇ′を操作してカメラモードを指定すると、本サブルーチンが呼び出される。そして、ＨＤ２３のバスを、まず、圧縮／伸長回路１０側に接続するように切り換える（ステップＳ７１）。そして、スライドスイッチ１４ｆの切り換え状態をチェックし、記録モードが選択されていれば、ステップＳ７６にジャンプし、再生モードが選択されていれば、ステップＳ７３にジャンプする。
【００６８】
ステップＳ７６では記録モードの表示を行い、記録可能コマの検索を行って（ステップＳ７７）、ステップＳ７５にジャンプし、スイッチ入力を待つ。また、ステップＳ７３では「再生」を表示して、ステップＳ７４では１コマ目の再生を行って、同様に、ステップＳ７５に進む。上記ステップＳ７５では電源スイッチ１４ａ，アップダウンスイッチ１４ｄ，１４ｅ等の入力を許容する。
【００６９】
また一方、図３２は、本ＤＳＣ３０がＨＤモードに設定されたときの処理を示すフローチャートである。本処理動作において、まず、ＨＤ２３のバスをＳＣＳＩＩ／Ｆ２３側に接続するように切り換える（ステップＳ８１）。そして、「ＨＤ」の表示を行って（ステップＳ８２）、電源スイッチ１４ａとスライドスイッチ１４ｇ′以外のスイッチ入力を禁止する状態となる。
【００７０】
以上述べたように、本実施形態のＤＳＣ３０によると、ＨＤモードに切り換えられたときは、本ＤＳＣ３０が周辺機器としてのＨＤユニットとして機能することになって、一般のＳＣＳＩＩ付きＨＤユニットと完全に等価な装置として利用できる。このとき、図３２のステップＳ８３で電源スイッチ１４ａとスライドスイッチ１４ｇ′以外のスイッチの入力が禁止されるため、ＤＳＣの誤動作が防止できる。
【００７１】
なお、本実施形態のＤＳＣ３０においては、大容量の記録媒体としてＨＤ装置を適用したが、これに限らず、例えば、光磁気ディスク装置や高容量フラッシュメモリ等を適用してもよい。
【００７２】
【発明の効果】
以上説明したように本発明の電子的撮像装置によれば、画像データを所望の通信先に簡単に送信することができる。
【図面の簡単な説明】
【図１】本発明の第１実施形態を示す電子的撮像装置であるＤＳＣ（デジタルスチルカメラ）を用いてデータ通信を行う場合のシステム系統図。
【図２】上記図１のＤＳＣの外観図。
【図３】上記図１のＤＳＣの表示部と操作スイッチ群の拡大配置図。
【図４】上記図１のＤＳＣの主要ブロック構成図。
【図５】上記図１のＤＳＣのＥＥＰＲＯＭに格納されるプロトコル登録部のマップ。
【図６】上記図１のＤＳＣに適用されるプロトコル記述言語を示す図。
【図７】上記図１のＤＳＣに適用されるログインプロトコルの記述例を示す図。
【図８】上記図１のＤＳＣに適用される通信先登録部のマップを示す図。
【図９】上記図８の通信登録部のプロトコル部のコード割り当て図。
【図１０】上記図１のＤＳＣの通信プロトコル登録動作時のモニタ等の登録メニュー画面。
【図１１】上記図１のＤＳＣの通信プロトコル登録動作時のプロトコル登録中のモニタ等の表示画面。
【図１２】上記図１のＤＳＣの通信先登録時のモニタ等の登録メニュー画面。
【図１３】上記図１のＤＳＣに適用されるサブルーチン「登録処理」のフローチャート。
【図１４】上記図１のＤＳＣに適用されるサブルーチン「プロトコル登録処理」のフローチャート。
【図１５】上記図１のＤＳＣに適用されるサブルーチン「通信先登録処理」のフローチャート。
【図１６】上記図１のＤＳＣのファイル送信処理でのモニタ等の送信ログイン表示画面。
【図１７】上記図１のＤＳＣのファイル送信処理でのモニタ等の画面選択表示画面。
【図１８】上記図１のＤＳＣのファイル送信処理での送信中のモニタ等の表示画面。
【図１９】上記図１のＤＳＣのファイル送信処理の終了時のモニタ等の表示画面。
【図２０】上記図１のＤＳＣに適用されるサブルーチン「送信処理」のフローチャート。
【図２１】上記図１のＤＳＣのファイル受信処理でのモニタ等の受信ログイン表示画面。
【図２２】上記図１のＤＳＣのファイル受信処理でのモニタ等のメールリスト表示画面。
【図２３】上記図１のＤＳＣのファイル受信処理での受信中のモニタ等の表示画面。
【図２４】上記図１のＤＳＣに適用されるサブルーチン「受信処理」のフローチャート。
【図２５】本発明の第２実施形態の電子的撮像装置であるＤＳＣの外観図。
【図２６】上記図２５のＤＳＣの表示部と操作スイッチ部の拡大配置図。
【図２７】上記図２５のＤＳＣのブロック構成図。
【図２８】上記図２５のＤＳＣの記録モードでの表示部の表示状態を示す図。
【図２９】上記図２５のＤＳＣの再生モードでの表示部の表示状態を示す図。
【図３０】上記図２５のＤＳＣのＨＤモードでの表示部の表示状態を示す図。
【図３１】上記図２５のＤＳＣに適用されるサブルーチン「カメラモード設定処理」のフローチャート。
【図３２】上記図２５のＤＳＣに適用されるサブルーチン「ＨＤモード設定処理」のフローチャート。
【符号の説明】
２……………撮像回路（撮像手段）
１２…………システムコントローラ（標識付加手段，外部制御モード手段）
１５…………ＲＳ−２３２ＣＩ／Ｆ（データ通信手段）
１６…………ＥＥＰＲＯＭ（登録手段）
１７…………メモリカ−ド（情報記録媒体）
２１…………………スイッチ素子（外部制御モード手段）
２２…………………ＨＤ装置（大容量の情報記憶手段）
２３…………………ＳＣＳＩＩ／Ｆ（通信手段）
Ｊ６Ｉ………タイトル（属性情報）
ステップＳ１〜Ｓ７……………登録処理（登録手段）
ステップＳ３５，５５……………（通信先認識手段，自動アクセス手段）
ステップＳ５１〜Ｓ６８…………（自動選択ダウンロード手段，消去を行う手段，ファイル名自動生成手段）
ステップＳ３４，Ｓ５４…………………アクセス手順読み出し手段
【図１】
0003655912.tif 000002
【図２】
0003655912.tif 000003
【図３】
0003655912.tif 000004
【図４】
0003655912.tif 000005
【図５】
0003655912.tif 000006
【図６】
0003655912.tif 000007
【図７】
0003655912.tif 000008
【図８】
0003655912.tif 000009
【図９】
0003655912.tif 000010
【図１０】
0003655912.tif 000011
【図１１】
0003655912.tif 000012
【図１２】
0003655912.tif 000013
【図１３】
0003655912.tif 000014
【図１４】
0003655912.tif 000015
【図１５】
0003655912.tif 000016
【図１６】
0003655912.tif 000017
【図１７】
0003655912.tif 000018
【図１８】
0003655912.tif 000019
【図１９】
0003655912.tif 000020
【図２０】
0003655912.tif 000021
【図２１】
0003655912.tif 000022
【図２２】
0003655912.tif 000023
【図２３】
0003655912.tif 000024
【図２４】
0003655912.tif 000025
【図２５】
0003655912.tif 000026
【図２６】
0003655912.tif 000027
【図２７】
0003655912.tif 000028
【図２８】
0003655912.tif 000029
【図２９】
0003655912.tif 000030
【図３０】
0003655912.tif 000031
【図３１】
0003655912.tif 000032
【図３２】
0003655912.tif 000033